(57)【要約】【課題】低背化・高密度化を実現するメモリカード用コネクタ及びコネクタユニットを提供する。【解決手段】メモリカード１は複数の溝１Ａの底面に面上接続端子１Ｂが配列される。ハウジング２は複数の溝１Ａの幅ごとに嵌合するはめ合い幅と複数の溝１Ａの深さと近似する厚さとを形成する複数の延出部２１を有する。カンチレバーコンタクト３はハウジング２に保持され、弾性部３２は延出部２１の下面に突出し、貫通穴２２内に配置される。プリント基板５は、溝１Ａを上面としてメモリカード１が載置される。ハウジング２は二つのメモリカードが並列して近接配置されるように結合されてプリント基板５に取り付けられ、プリント基板５の上面と延出部２１とでカード挿入口が形成される。カード挿入口に挿入されたメモリカード１の上面は延出部２１の上面と概面一になる。【選択図】        図６
2005085707.tif 000002
【特許請求の範囲】
【請求項１】
一端部に貫通する複数の溝の底面に面上接続端子が配列されているメモリカードが差し込まれることによって当該メモリカードと電気的に接続するメモリカード用コネクタであって、
前記複数の溝の幅ごとに嵌合するはめ合い幅と前記複数の溝の深さと近似する厚さとを形成している複数の延出部を有しているハウジングと、
固定部と弾性部とで構成されるカンチレバーコンタクトであって、当該固定部は前記ハウジングに保持されており、当該弾性部は、前記面上接続端子との接点が前記延出部の下面に突出していると共に前記延出部に形成されている貫通穴内に弾性変動自在に配置されている複数のカンチレバーコンタクトと、を備えており、
前記メモリカードは、前記面上接続端子が前記延出部の下壁に対向するように面上接続端子が上向きで前記ハウジングに差し込まれ、当該メモリカードの上面は前記複数の延出部の上面と概面一になることを特徴とするメモリカード用コネクタ。
【請求項２】
一端部に貫通する複数の溝の底面に面上接続端子が配列されているメモリカードが差し込まれることによって当該メモリカードと電気的に接続するメモリカード用コネクタユニットであって、
前記複数の溝の幅ごとに嵌合するはめ合い幅と前記複数の溝の深さと近似する厚さとを形成している複数の延出部を有しているハウジングと、
固定部と弾性部とで構成されるカンチレバーコンタクトであって、当該固定部は前記ハウジングに保持されており、当該弾性部は、前記面上接続端子との接点が前記延出部の下面に突出していると共に前記延出部に形成されている貫通穴内に弾性変動自在に配置されている複数のカンチレバーコンタクトと、
前記複数の溝の形成面を上面として当該メモリカードが載置されるプリント基板と、を備えており、
前記ハウジングは前記プリント基板に取り付けられて当該プリント基板の上面と前記複数の延出部とでカード挿入口が形成され、
前記カード挿入口に差し込まれた当該メモリカードの上面は前記複数の延出部の上面と概面一になることを特徴とするメモリカード用コネクタユニット。
【請求項３】
一端部に貫通する複数の溝の底面に面上接続端子が配列されているメモリカードが差し込まれることによって当該メモリカードと電気的に接続するメモリカード用コネクタユニットであって、
前記複数の溝の幅ごとに嵌合するはめ合い幅と前記複数の溝の深さと近似する厚さとを形成している複数の延出部を有しているハウジングと、
固定部と弾性部とで構成されるカンチレバーコンタクトであって、当該固定部は前記ハウジングに保持されており、当該弾性部は前記面上接続端子との接点が前記延出部の下面に突出していると共に前記延出部に形成されている貫通穴内に弾性変動自在に配置されている複数のカンチレバーコンタクトと、
前記複数の溝の形成面を上面として当該メモリカードが載置されるプリント基板と、を備えており、
前記複数のカンチレバーコンタクトを保持している前記ハウジングは二つの前記メモリカードが並列して近接配置されるように一体結合されており、
前記一体結合されたハウジングは前記プリント基板に取り付けられて当該プリント基板の上面と前記複数の延出部とで二連のカード挿入口が形成され、
前記二連のカード挿入口に差し込まれた当該メモリカードの上面は前記複数の延出部の上面と概面一になることを特徴とするメモリカード用コネクタユニット。
【請求項４】
前記一体結合されたハウジングは前記二連のカード挿入口が相反するように線対称に前記プリント基板に配置され、かつ当該一体結合されたハウジングは近接配置されることを特徴とする請求項３記載のメモリカード用コネクタユニット。
【請求項５】
相反配置されて一体結合された前記ハウジングに前記メモリカードが全て挿入された状態において当該一体結合されたハウジングと当該メモリカードとを取り囲む枠板を備えており、
前記枠板において対向する内壁は前記メモリカードの側面を規制しており、当該枠板は前記メモリカードと同じ厚さを有しており、当該枠板が前記プリント基板に取り付けられることを特徴とする請求項４記載のメモリカード用コネクタユニット。
【請求項６】
前記メモリカードと当接する薄板カバーが前記枠板に取り付けられることを特徴とする請求項５記載のメモリカード用コネクタユニット。
【請求項７】
前記メモリカードはＳＤカード又はメモリスティックカードを含むことを特徴とする請求項１記載のメモリカード用コネクタ。
【請求項８】
前記メモリカードはＳＤカード又はメモリスティックカードを含むことを特徴とする請求項２から６のいずれかに記載のメモリカード用コネクタユニット。
【発明の詳細な説明】
【技術分野】
【０００１】
本発明は、メモリカード用コネクタユニットに関する。特に、一端部に貫通する複数の溝の底面に面上接続端子が配列されているメモリカードが差し込まれることによって当該メモリカードと電気的に接続するメモリカード用コネクタ及びコネクタユニットに関する。前述のメモリカードには、例えば、ＳＤ（Ｓｅｃｕｒｅ  Ｄｉｇｉｔａｌ）カード又はメモリスティックカードがある。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
フレキシブルディスク（ＦＤ）や光磁気ディスク（ＭＯ）等のディスク型の記憶装置に比較して、このメモリカードは記憶容量が小さく、又、高価であるとされてきた。しかし、近年の技術進歩やメモリカードを使用する機器の普及に伴う量産効果により、最大で１２８ＭＢ程度の大記憶容量となり、低価格となってきている。
【０００４】
更に、このメモリカードは、データの読み書きにＦＤやＭＯ等のように駆動装置を必要としないというメリットがあるため、消費電力や携帯性が重要視されるデジタルカメラやノート型パソコン、携帯音楽プレーヤーには好適である。
【０００５】
このようなメモリカードのデータを読み書きするためのコネクタとして、耐衝撃性が向上されており、コネクタの配置の自由度が増大されており、実装配線基板に対向する方向からメモリカードを装着できるメモリカード用コネクタが発明されている（例えば、特許文献１）。
【０００６】
前述のメモリカード用コネクタは、機器の実装配線基板上に実装されるコネクタ本体と、金属製のカバー部材とを備えている。コネクタ本体に形成されたカード装着空間には、一方の端部において、コンタクトの接点部が突出している。この接点部の近傍には、メモリカードの一端部を規制する規制部材が固定されている。フラッシュメモリカードの一端部を規制部材の下方に挿し入れ、カード装着空間にメモリカードを装着してカバー部材を閉じると、このカバー部材は、コネクタ本体にロックされる。
【特許文献１】特開２００２−２３１３４４号公報
【発明の開示】
【発明が解決しようとする課題】
【０００７】
しかしながら、特許文献１によるメモリカード用コネクタは、プリント基板にコネクタ本体が取り付けられ、更にコネクタ本体にカバー部材が取り付けられているなどコネクタ全体として実装高さが大きく、更なる低背化が要求されている電子機器には適合しないという問題がある。
【０００８】
例えば、業務用ＤＶＣ（Ｄｉｇｉｔａｌ  Ｖｉｄｅｏ  Ｃａｍｅｒａ）に装着されるメモリカード用コネクタは極めて低背化が要求されている。又、画像データ等の外部記憶容量も多いことから複数のメモリカードを少ない面積で配置できる新たなメモリカード用コネクタユニットも要求されている。
【０００９】
一方、この業務用ＤＶＣに装着されるメモリカードは取り外す頻度が極めて少ないことから、例えば、メモリカード用コネクタにロック機構を設ける等、メモリカード用コネクタの低背化・高密度実装化を阻害する一つの制約からは解放されている。
【００１０】
本発明は、上述した課題を解決すべく、メモリカードを含めたコネクタ全体として低背化・高密度化を実現するメモリカード用コネクタ及びコネクタユニットを提供することを目的とする。
【課題を解決するための手段】
【００１１】
発明者は、上記目的を満たすため、以下のような新たなメモリカード用コネクタ及びコネクタユニットを発明した。
【００１２】
（１）  一端部に貫通する複数の溝の底面に面上接続端子が配列されているメモリカードが差し込まれることによって当該メモリカードと電気的に接続するメモリカード用コネクタであって、前記複数の溝の幅ごとに嵌合するはめ合い幅と前記複数の溝の深さと近似する厚さとを形成している複数の延出部を有しているハウジングと、固定部と弾性部とで構成されるカンチレバーコンタクトであって、当該固定部は前記ハウジングに保持されており、当該弾性部は、前記面上接続端子との接点が前記延出部の下面に突出していると共に前記延出部に形成されている貫通穴内に弾性変動自在に配置されている複数のカンチレバーコンタクトと、を備えており、前記メモリカードは、前記面上接続端子が前記延出部の下壁に対向するように面上接続端子が上向きで前記ハウジングに差し込まれ、当該メモリカードの上面は前記複数の延出部の上面と概面一になることを特徴とするメモリカード用コネクタ。
【００１３】
（２）  一端部に貫通する複数の溝の底面に面上接続端子が配列されているメモリカードが差し込まれることによって当該メモリカードと電気的に接続するメモリカード用コネクタユニットであって、前記複数の溝の幅ごとに嵌合するはめ合い幅と前記複数の溝の深さと近似する厚さとを形成している複数の延出部を有しているハウジングと、固定部と弾性部とで構成されるカンチレバーコンタクトであって、当該固定部は前記ハウジングに保持されており、当該弾性部は、前記面上接続端子との接点が前記延出部の下面に突出していると共に前記延出部に形成されている貫通穴内に弾性変動自在に配置されている複数のカンチレバーコンタクトと、前記複数の溝の形成面を上面として当該メモリカードが載置されるプリント基板と、を備えており、前記ハウジングは前記プリント基板に取り付けられて当該プリント基板の上面と前記複数の延出部とでカード挿入口が形成され、前記カード挿入口に差し込まれた当該メモリカードの上面は前記複数の延出部の上面と概面一になることを特徴とするメモリカード用コネクタユニット。
【００１４】
（３）  一端部に貫通する複数の溝の底面に面上接続端子が配列されているメモリカードが差し込まれることによって当該メモリカードと電気的に接続するメモリカード用コネクタユニットであって、前記複数の溝の幅ごとに嵌合するはめ合い幅と前記複数の溝の深さと近似する厚さとを形成している複数の延出部を有しているハウジングと、固定部と弾性部とで構成されるカンチレバーコンタクトであって、当該固定部は前記ハウジングに保持されており、当該弾性部は前記面上接続端子との接点が前記延出部の下面に突出していると共に前記延出部に形成されている貫通穴内に弾性変動自在に配置されている複数のカンチレバーコンタクトと、前記複数の溝の形成面を上面として当該メモリカードが載置されるプリント基板と、を備えており、前記複数のカンチレバーコンタクトを保持している前記ハウジングは二つの前記メモリカードが並列して近接配置されるように一体結合されており、前記一体結合されたハウジングは前記プリント基板に取り付けられて当該プリント基板の上面と前記複数の延出部とで二連のカード挿入口が形成され、前記二連のカード挿入口に差し込まれた当該メモリカードの上面は前記複数の延出部の上面と概面一になることを特徴とするメモリカード用コネクタユニット。
【００１５】
（４）  前記一体結合されたハウジングは前記二連のカード挿入口が相反するように線対称に前記プリント基板に配置され、かつ当該一体結合されたハウジングは近接配置されることを特徴とする（３）記載のメモリカード用コネクタユニット。
【００１６】
（５）  相反配置されて一体結合された前記ハウジングに前記メモリカードが全て挿入された状態において当該一体結合されたハウジングと当該メモリカードとを取り囲む枠板を備えており、前記枠板において対向する内壁は前記メモリカードの側面を規制しており、当該枠板は前記メモリカードと同じ厚さを有しており、当該枠板が前記プリント基板に取り付けられることを特徴とする（４）記載のメモリカード用コネクタユニット。
【００１７】
（６）  前記メモリカードと当接する薄板カバーが前記枠板に取り付けられることを特徴とする（５）記載のメモリカード用コネクタユニット。
【００１８】
（７）  前記メモリカードはＳＤカード又はメモリスティックカードを含むことを特徴とする（１）記載のメモリカード用コネクタ。
【００１９】
（８）  前記メモリカードはＳＤカード又はメモリスティックカードを含むことを特徴とする（２）から（６）のいずれかに記載のメモリカード用コネクタユニット。
【００２０】
（１）記載の発明によれば、「一端部に貫通する複数の溝の底面に面上接続端子が配列されているメモリカードが差し込まれることによって当該メモリカードと電気的に接続するメモリカード用コネクタであって、前記複数の溝の幅ごとに嵌合するはめ合い幅と前記複数の溝の深さと近似する厚さとを形成している複数の延出部を有しているハウジングと、固定部と弾性部とで構成されるカンチレバーコンタクトであって、当該固定部は前記ハウジングに保持されており、当該弾性部は、前記面上接続端子との接点が前記延出部の下面に突出していると共に前記延出部に形成されている貫通穴内に弾性変動自在に配置されている複数のカンチレバーコンタクトと、を備えており、前記メモリカードは、前記面上接続端子が前記延出部の下壁に対向するように面上接続端子が上向きで前記ハウジングに差し込まれ、当該メモリカードの上面は前記複数の延出部の上面と概面一になる」ことを特徴としてよい。
【００２１】
（２）記載の発明によれば、「一端部に貫通する複数の溝の底面に面上接続端子が配列されているメモリカードが差し込まれることによって当該メモリカードと電気的に接続するメモリカード用コネクタユニットであって、前記複数の溝の幅ごとに嵌合するはめ合い幅と前記複数の溝の深さと近似する厚さとを形成している複数の延出部を有しているハウジングと、固定部と弾性部とで構成されるカンチレバーコンタクトであって、当該固定部は前記ハウジングに保持されており、当該弾性部は、前記面上接続端子との接点が前記延出部の下面に突出していると共に前記延出部に形成されている貫通穴内に弾性変動自在に配置されている複数のカンチレバーコンタクトと、前記複数の溝の形成面を上面として当該メモリカードが載置されるプリント基板と、を備えており、前記ハウジングは前記プリント基板に取り付けられて当該プリント基板の上面と前記複数の延出部とでカード挿入口が形成され、前記カード挿入口に差し込まれた当該メモリカードの上面は前記複数の延出部の上面と概面一になる」ことを特徴としてよい。
【００２２】
メモリカードは、メモリチップをカード型外殻に封止したカード形状に形成される。そして、このメモリカードの挿入端部となる一端部に貫通する複数の溝が形成され、当該複数の溝の底面に面上接続端子が配列されている記憶装置であってよい。本発明によるメモリカード用コネクタ及びコネクタユニットに挿抜されるメモリカードは、ＳＤカード又はメモリスティックカードを含んでよい。
【００２３】
ハウジングは絶縁性の合成樹脂材で成形されてよく、このハウジングの上部はメモリカードに形成された複数の溝に入るための複数の延出部が櫛の歯状に形成される。この複数の延出部は、複数の溝の幅ごとに嵌合するはめ合い幅と前記複数の溝の深さと近似する厚さとを形成している。
【００２４】
この複数の延出部は個々には、対応する溝ごとにはめ合い幅と延出長さが異なってよく、複数の溝にこの複数の延出部が挿入されることにより、メモリカードとハウジングが相互に位置合わせされる。メモリカードが載置されるプリント基板に取り付けられるこのハウジングは延出部の上面がメモリカードの上面と概同じ高さとなっており、この延出部はメモリカードの誤挿入を防止する機能も有している。
【００２５】
カンチレバーコンタクトは、ばねの働きが片持ち梁のコンタクトであって、この複数のカンチレバーコンタクトはメモリカードの挿入方向と直交する方向に整列して配置されている。カンチレバーコンタクトの固定部は例えば圧入等でハウジングに保持される。更に、固定部の縁端部はプリント基板にはんだで接合されるタブとなっており、このハウジングをプリント基板に保持する機能を担っている。
【００２６】
カンチレバーコンタクトの弾性部は、延出部に形成されている貫通穴内に延出している。そして、弾性部の先端部は屈曲端となって前記面上接続端子との接点となる。この接点は、延出部の下面に突出しており、延出部に挿入されたメモリカードの面上接続端子を押圧する。なお、この延出部先端はカンチレバーコンタクトの先端部を封鎖しており、誤挿入されたメモリカードが、カンチレバーコンタクトに衝突して破損することを保護している。
【００２７】
このようなメモリカード用コネクタ及びコネクタユニットにあっては、メモリカードは面上接続端子が上向きで挿入され、つまり、面上接続端子が延出部の下壁に対向するように挿入され、メモリカードの装着位置において、複数のカンチレバーコンタクトが面上接続端子を押圧して、メモリカードの電気的接続を可能としている。
【００２８】
そして、カード挿入口に差し込まれた当該メモリカードの上面は前記複数の延出部の上面と概面一になる。このようなメモリカード用コネクタ及びコネクタユニットは、コネクタ全体の厚さとしてプリント基板の厚さにメモリカードの厚さが実質的に加算されたものであって、極限に近い低背化が可能となった。
【００２９】
（３）記載の発明によれば、「一端部に貫通する複数の溝の底面に面上接続端子が配列されているメモリカードが差し込まれることによって当該メモリカードと電気的に接続するメモリカード用コネクタユニットであって、前記複数の溝の幅ごとに嵌合するはめ合い幅と前記複数の溝の深さと近似する厚さとを形成している複数の延出部を有しているハウジングと、固定部と弾性部とで構成されるカンチレバーコンタクトであって、当該固定部は前記ハウジングに保持されており、当該弾性部は前記面上接続端子との接点が前記延出部の下面に突出していると共に前記延出部に形成されている貫通穴内に弾性変動自在に配置されている複数のカンチレバーコンタクトと、前記複数の溝の形成面を上面として当該メモリカードが載置されるプリント基板と、を備えており、前記複数のカンチレバーコンタクトを保持している前記ハウジングは二つの前記メモリカードが並列して近接配置されるように一体結合されており、前記一体結合されたハウジングは前記プリント基板に取り付けられて当該プリント基板の上面と前記複数の延出部とで二連のカード挿入口が形成され、前記二連のカード挿入口に差し込まれた当該メモリカードの上面は前記複数の延出部の上面と概面一になる」ことを特徴としてよい。
【００３０】
好適な実施様態においては、底面に面上接続端子が形成されている複数の溝の幅ごとに嵌合するはめ合い幅と前記複数の溝の深さと近似する厚さとを形成している複数の延出部を有しているハウジングは、当該ハウジングが二組、並列配置されて一体成形されたハウジングであってよい。
【００３１】
固定部と弾性部とで構成される前記カンチレバーコンタクトの固定部は、一体結合されたこのハウジングに各組ごとに保持されており、当該弾性部は前記面上接続端子との接点が前記延出部の下面に突出していると共に前記延出部に形成されている貫通穴内に弾性変動自在に配置されている。
【００３２】
前記一体結合されたハウジングは、前記プリント基板に取り付けられて当該プリント基板の上面と前記複数の延出部とで二連のカード挿入口が形成される。そして、この二連のカード挿入口に差し込まれたメモリカードの上面は前記複数の延出部の上面と概面一になる。
【００３３】
このような好適な実施様態のメモリカード用コネクタユニットは、二つのメモリカードはそれぞれ面上接続端子が上向きで挿入され、つまり、面上接続端子が延出部の下壁に対向するように挿入され、メモリカードの装着位置において、複数のカンチレバーコンタクトが面上接続端子を押圧して、メモリカードの電気的接続を可能としている。
【００３４】
そして、カード挿入口に差し込まれた当該二つのメモリカードの上面は前記複数の延出部の上面と概面一になる。このようなメモリカード用コネクタユニットは、コネクタユニット全体の厚さとしてプリント基板の厚さにメモリカードの厚さが実質的に加算されたものであって、極限に近い低背化が可能となった。
【００３５】
更に、前記一体結合されたハウジングは二つの前記メモリカードが並列して近接配置するので、２つのメモリカードを少ない面積で配置できる。
【００３６】
（４）記載の発明によれば、「（３）記載のメモリカード用コネクタユニットにおいて、前記一体結合されたハウジングは前記二連のカード挿入口が相反するように線対称に前記プリント基板に配置され、かつ当該一体結合されたハウジングは近接配置される」ことを特徴としてよい。
【００３７】
このような好適な実施様態のメモリカード用コネクタユニットは、四つのメモリカードはそれぞれ面上接続端子が上向きで挿入され、つまり、面上接続端子が延出部の下壁に対向するように挿入され、メモリカードの装着位置において、複数のカンチレバーコンタクトが面上接続端子を押圧して、メモリカードの電気的接続を可能としている。
【００３８】
そして、カード挿入口に差し込まれた当該四つのメモリカードの上面は前記複数の延出部の上面と概面一になる。このようなコネクタユニット全体の厚さとしてプリント基板の厚さにメモリカードの厚さが実質的に加算されたものであって、極限に近い低背化が可能となった。
【００３９】
更に、一体結合されたハウジングは二つの前記メモリカードが並列して近接配置され、かつ一体結合されたハウジングは相反するようして近接配置されるので、４つのメモリカードを少ない面積で配置できる。
【００４０】
好適な実施様態においては、相反配置されて一体結合されたハウジングにメモリカードが全て挿入された状態において当該一体結合されたハウジングとメモリカードとを取り囲む枠板を備えている。この枠板において対向する内壁は前記メモリカードの側面を規制しており、当該枠板はメモリカードと同じ厚さを有しており、当該枠板がプリント基板に取り付けられる。
【００４１】
好適な実施様態においては、前記枠板にメモリカードの上面と当接する薄板カバーが取り付けられてもよい。枠板と薄板カバーを備えるこのようなメモリカード用コネクタユニットは、多段に積層されて、例えば、業務用ＤＶＣに少ない体積で装着されることを可能としている。
【００４２】
そして、こられのメモリカード用コネクタ及びコネクタユニットに適用されるメモリカードは、ＳＤカード又はメモリスティックカードを含んでよい。
【発明の効果】
【００４３】
本発明のコネクタ及びコネクタユニットは、メモリカードは一端部に貫通する複数の溝の底面に面上接続端子が配列されており、ハウジングに差し込まれた前記メモリカードの上面はハウジングに形成された複数の延出部の上面と概面一になる。このようなメモリカード用コネクタユニットは、コネクタユニット全体の厚さとしてプリント基板の厚さにメモリカードの厚さが実質的に加算されたものであって、極限に近い低背化が可能となった。
【００４４】
更に、本発明のコネクタユニットは、二つのメモリカードが並列して近接配置されているので、２つのメモリカードを少ない面積で配置できる。又は、並列して近接配置された二つのメモリカードが相反して近接配置されるので、４つのメモリカードを少ない面積で配置できる。
【発明を実施するための最良の形態】
【００４５】
以下、図面を参照して本発明を実施するための最良の形態を説明する。
【００４６】
図１は、本発明によるメモリカード用コネクタ及びメモリカード用コネクタユニット（以下、コネクタ及びコネクタユニットと略称する。）に挿入されるメモリカードの一実施形態を示す斜視外観図である。図１（ａ）はメモリカード１を裏面側から観た斜視外観図、図１（ｂ）はメモリカード１を表面側から観た斜視外観図である。
【００４７】
図１の実施形態において、メモリカード１は絶縁性の合成樹脂材で長方形状に成形されている。メモリカード１には、一端部に貫通する８つの溝１Ａが形成されている。そして、これら８つの溝１Ａの底面に９つの面上接続端子１Ｂが配列されている。これら面上接続端子１Ｂはメモリカード１に内蔵されているフラッシュメモリとなるＩＣチップと電気的に接続している。
【００４８】
図１（ａ）に示されるように、メモリカード１の最左翼において、幅広の溝１Ａの底面には２つの面上接続端子１Ｂが配列されており、その他の同じ幅をもつ溝１Ａの底面には面上接続端子１Ｂが一対一に配列されている。
【００４９】
図１（ａ）に示されるように、最右翼の溝１Ａは他の溝１Ａと比べ奥行きが深くなっている。又、８つの溝１Ａは裏面からの深さが同じになっている。一方、長方形に形成された９つの面上接続端子１Ｂは、形状と取り付け位置が各々異なっている。
【００５０】
更に、メモリカード１の左側辺には、フラッシュメモリへの書き込みを禁止又は許容することを切り換えるライトプロテクトスイッチ１Ｃが設けられている。又、メモリカード１の一隅には４５度の角度で誤挿入防止のための面取り部１Ｄが形成されている。
【００５１】
次に、本発明によるコネクタの部分構成を図２に示す。図２は、一実施形態によるハウジング２の斜視外観図である。そして、図２（ａ）は、図１に示されたメモリカード１が挿入される側から観たハウジング２の斜視外観図であり、図２（ｂ）は、図２（ａ）に示されたハウジング２を背面側から観た斜視外観図である。
【００５２】
図２の実施形態において、ハウジング２は絶縁性の合成樹脂材で成形されている。そして、図１に示されたメモリカード１における複数の溝１Ａが入る複数の延出部２１を、ハウジング２は有している。
【００５３】
図２において、これら複数の延出部２１は、第１延出部群２Ａと第２延出部群２Ｂに区画配置されている。第１延出部群２Ａにおいて、８つの延出部２１は図１に示された８つの溝１Ａの幅ごとに嵌合するはめ合い幅と、８つの溝の深さと近似する厚さとを形成している。
【００５４】
同様に、第２延出部群２Ｂにおいて、８つの延出部２１は図１に示された８つの溝１Ａの幅ごとに嵌合するはめ合い幅と、８つの溝の深さと近似する厚さとを形成している。ハウジング２は、図１に示されたメモリカード１が並列して近接配置されるように一体結合されて成形されている。
【００５５】
なお、第１延出部群２Ａと第２延出部群２Ｂとの間には、このハウジング２に挿入される２つのメモリカード１を仕切ると共に当該メモリカード１の側辺を部分的に案内又は規制する横設片２Ｃが突出している。
【００５６】
一方、図２において、カンチレバーコンタクト３は固定部３１と弾性部３２とで構成される。固定部３１はハウジング２に保持されており、弾性部３２は延出部２１に形成されている貫通穴２２内に弾性変動自在に配置されている。これら複数のカンチレバーコンタクト３は、第１延出部群２Ａと第２延出部群２Ｂに対応して、第１カンチレバーコンタクト群３Ａと第２カンチレバーコンタクト群３Ｂとに分れて配置されている。
【００５７】
次に、図３によりハウジング２の構成を更に説明する。図３（ａ）はハウジング２の平面図、図３（ｂ）は図３（ａ）の正面図、図３（ｃ）は図３（ａ）の左側面図である。
【００５８】
図３の実施形態に示されるように、複数のカンチレバーコンタクト３における弾性部３２は、図１に示された面上接続端子１Ｂとの接点３２Ａが延出部２１の下面に突出している。一方、カンチレバーコンタクト３における固定部３１の端部はハウジング２の後方に延出してはんだ接合される接合タブ３１Ａを形成している。
【００５９】
又、図３に示されるように、ハウジング２の両翼及び中央部には、スナップリング２３が圧入されている。これらスナップリング２３は、後述するプリント基板５にハウジング２を取り付けるためのものである。更に、ハウジング２の底面には、後述するプリント基板５と位置合わせするためのピン２４が二つ突出している。
【００６０】
図３において、ハウジング２の底面に、後述するプリント基板５が取り付けられて、当該プリント基板５の上面と複数の延出部２１とで二連のカード挿入口２０Ａ及び２０Ｂが形成される。
【００６１】
次に、本発明によるコネクタユニットの構成を図４の斜視外観図により説明する。図４の実施形態において、第１延出部群２Ａと第２延出部群２Ｂとを有する２つのハウジングは、二連のカード挿入口２０Ａ及び２０Ｂが相反するように線対称にプリント基板５に配置される。図４において、２つのハウジング２は近接配置される。
【００６２】
なお、図４に示された実施形態によるコネクタユニットは、図１に示されたメモリカード１を４つ実装可能とするものであるが、第１延出部群２Ａを有するハウジングに第１カンチレバーコンタクト群３Ａ（図２参照）が配置され、このハウジングにプリント基板が取り付けられるコネクタユニットとしてもよく、図４に示されたハウジング２のいずれか一方のみがプリント基板に取り付けられるコネクタユニットとしてもよい。
【００６３】
次に、本発明によるコネクタユニットの作用を図５の状態変化図により説明する。図５は図４の部分縦断面図である。
【００６４】
図５（ａ）は、メモリカード１がコネクタユニットに挿入される前の状態図であり、メモリカード１は面上接続端子１Ｂを上向きにして挿入される。図５（ａ）は、メモリカード１の端面が延出部２１の前壁に当接して、メモリカード１をコネクタユニットに差し込むことができない。
【００６５】
なお、図５（ａ）に示されるように、この延出部２１の先端はカンチレバーコンタクト３の先端部を封鎖しており、例えば、誤挿入されたメモリカード１が、カンチレバーコンタクト３に衝突して破損することを保護している。
【００６６】
図５（ｂ）は、メモリカード１がコネクタユニットに挿入される直前の状態図であり、メモリカード１は溝１Ａを上向きに傾けられた状態で、溝１Ａの形成端がプリント基板５に載置される。図５（ｂ）の状態からメモリカード１をハウジング２側に差し込むと、図５（ｃ）に示される状態になる。
【００６７】
図５（ｃ）は、メモリカード１の溝１Ａが延出部２１の先端部に嵌合している状態図である。図５（ｃ）に示された状態から、メモリカード１がプリント基板５と平行になるように傾斜を緩やかにして、メモリカード１を更にハウジング２側に差し込むと、図５（ｄ）に示される状態になる。
【００６８】
図５（ｄ）は、プリント基板５の上面と複数の延出部２１とで形成されるカード挿入口２０Ａに、メモリカード１の溝１Ａの形成端が途中まで挿入された状態図である。図５（ｄ）の状態では、溝１Ａの底面がカンチレバーコンタクト３の接点３２Ａに当接している。図５（ｄ）に示された状態から、メモリカード１をプリント基板５に載置して、メモリカード１を更にハウジング２側に差し込むと、図５（ｅ）に示される状態になる。
【００６９】
図５（ｅ）は、図５（ｄ）に示されたカード挿入口２０Ａにメモリカード１が完全に挿入された状態図であり、カンチレバーコンタクト３の接点３２Ａが面上接続端子１Ｂを押圧して、メモリカード１とコネクタユニットの電気的接続を可能としている。
【００７０】
図５（ｅ）に示されるように、カード挿入口２０Ａに差し込まれたメモリカード１の上面は複数の延出部２１の上面と概面一になっている。このようなコネクタユニットは、コネクタユニット全体の厚さとしてプリント基板５の厚さにメモリカード１の厚さが実質的に加算されたものであって、極限に近い低背化が可能となった。
【００７１】
図６は、図４に示されたコネクタユニットに、図５に示された手順で４つのメモリカード１を挿入した状態図である。図６の斜視外観図に示されるように、２つのメモリカード１は近接して並列配置されると共に、これら並列配置される２つのメモリカード１は互いに相反するように近接配置されるので、本発明によるコネクタユニットは４つのメモリカード１を少ない面積で配置できる。
【００７２】
他の好適な実施形態においては、図６に示された４つのメモリカード１を取り囲む枠板を設けてもよい。図７は、図６に示されたコネクタユニットに更に枠板６を取り付けたコネクタユニットの斜視外観図である。
【００７３】
図７の実施形態では、相反配置されたハウジング２にメモリカード１が全て挿入されて状態において当該ハウジング２とメモリカード１とを取り囲む枠板６を、コネクタユニットは備えている。
【００７４】
図７において、枠板６は、対向する内壁がメモリカード１の側面を規制している。そして、枠板６はメモリカード１と同じ厚さを有しており、枠板６はプリント基板５に取り付けられる。この枠板６は、ハウジング２に挿入されたメモリカード１が前後左右に移動することを防止している。
【００７５】
更に、好適な実施形態では、図７に示された枠板６にメモリカード１の上面と当接する薄板カバー７が取り付けられてもよい。図７に示された枠板６と薄板カバー７を備えるこのようなコネクタユニットは、多段（例えば１０段）に積層されて、例えば、業務用ＤＶＣに少ない体積で装着されることを可能としている。
【００７６】
図７において、メモリカード１は例えば、１ＧＢ程度の記憶容量を有しており、この記憶容量を有するメモリカード１を４組・１０段にして例えば、業務用ＤＶＣに搭載すれば、前記業務用ＤＶＣは４０ＧＢの外部記憶装置を備えることになる。
【図面の簡単な説明】
【００７７】
【図１】本発明によるメモリカード用コネクタ及びコネクタユニットに挿入されるメモリカードの一実施形態を示す斜視外観図である。
【図２】本発明によるハウジングの斜視外観図である。
【図３】本発明によるハウジングの構成図である。
【図４】本発明によるメモリカード用コネクタユニットの一実施形態を示す斜視外観図である。
【図５】本発明によるメモリカード用コネクタユニットの作用を説明するための状態変化図であり、図４の部分縦断面図である。
【図６】図４に示されたメモリカード用コネクタユニットに４つのメモリカードを挿入した状態における斜視外観図である。
【図７】図６に示されたメモリカード用コネクタユニットに更に枠板を取り付けたコネクタユニットの斜視外観図である。
【符号の説明】
【００７８】
１    メモリカード
１Ａ    溝
１Ｂ    面上接続端子
２    ハウジング
２Ａ    第１延出部群
２Ｂ    第２延出部群
２Ｃ    横設片
３    カンチレバーコンタクト
３Ａ    第１カンチレバーコンタクト群
３Ｂ    第２カンチレバーコンタクト群
５    プリント基板
６    枠板
７    薄板カバー
２０Ａ・２０Ｂ    カード挿入口
２１    延出部
２２    貫通穴
３１    固定部
３１Ａ    接合タブ
３２  弾性部
３２Ａ    接点
【図１】
2005085707.tif 000003
【図２】
2005085707.tif 000004
【図３】
2005085707.tif 000005
【図４】
2005085707.tif 000006
【図５】
2005085707.tif 000007
【図６】
2005085707.tif 000008
【図７】
2005085707.tif 000009